(57)【要約】【課題】各書体の体裁が一目で把握できる、さらに各書体の特徴を相対的に比較又は認識できるようにすることにより、目的とする書体の選択を容易にできる書体一覧表を提供する。【解決手段】文字の体裁を表す書体のフォント名に対応した番号を表示する番号欄と、その番号に対応する書体の体裁のサンプルを表示するサンプル欄とを設け、書体の体裁のサンプルを比較できるように配置することにより各書体の特徴を相対的に認識できるようにコンピュータに所定のデータを入力し記憶させたものをプリントして作成された書体の体裁サンプル帳において、縦方向に多段に表記した番号欄１０の横にサンプル欄２０を併記し、書体のフォント名とそれに付与された番号を一覧にして表示した早見帳を別に作成する。【選択図】  図１
2008070986.tif 000002
【特許請求の範囲】
【請求項１】
文字の体裁を表す書体のフォント名に対応した番号を表示する番号欄と、前記番号に対応する前記書体の体裁のサンプルを表示するサンプル欄とを設け、前記書体の体裁のサンプルを比較できるように配置することにより各書体の特徴を相対的に認識できるようにコンピュータに所定のデータを入力し記憶させたものをプリントして作成された書体の体裁サンプル帳において、縦方向に多段に表記した前記番号欄の横に前記サンプル欄を併記し、前記書体のフォント名とそれに付与された番号を一覧にして表示した早見帳を別に作成したことを特徴とする書体の体裁サンプル帳。
【請求項２】
文字の体裁を表す書体のフォント名に対応した番号を表示する番号欄と、前記番号に対応する前記書体の体裁のサンプルを表示するサンプル欄とを設け、前記書体の体裁のサンプルを比較できるように配置することにより各書体の特徴を相対的に認識できるようにコンピュータに所定のデータを入力し記憶させたものをプリントして作成された書体の体裁サンプル帳において、縦方向に多段に表記した前記番号欄の横に前記サンプル欄を併記し、前記書体の体裁のサンプルを表示するサンプル欄に前記書体のフォント名を当該書体の体裁により表示したことを特徴とする書体の体裁サンプル帳。
【請求項３】
前記書体の体裁は、漢字、平仮名、片仮名、数字、英文字の大文字又は小文字の少なくとも１つ以上から構成されることを特徴とする請求項１又は請求項２のいずれか１項に記載の書体の体裁サンプル帳。
【発明の詳細な説明】
【技術分野】
【０００１】
本発明は、書体の体裁が分からないような場合であっても、各書体の体裁が一目で把握できる書体の体裁サンプル帳に関するものである。
【背景技術】
【０００２】
書体のカテゴリは、明朝体（横線が細く縦線が太い）、ゴシック体（全体が角ばって肉太）、丸ゴシック体（ゴシック体に丸みを持たせた）、楷書体（隷書から転化した）、行書体（楷書と草書の中間）、隷書体（篆書を簡略・直線的にした）、草書体（行書をさらにくずし続けた）、勘亭流（肉太で丸みを帯びる）、ＰＯＰ体（チラシやＰＯＰ広告で使用される）、等々に分類される。
【０００３】
また、上述した各書体のカテゴリの中には、それぞれのメーカーごとに提供する書体が異なることから、例えば、上記ゴシック体に関しては、「ＡＲゴシック体」、「平成ゴシック体」、「ＨＧゴシック」、「ＦＡゴシック」、「創英角ゴシック体」、等々の多数のフォント名が存在している。
【０００４】
このように、書体のカテゴリごとに多数のフォント名が存在しているため、書体の体裁については、フォント名からだけでは容易に把握することができないばかりでなく、目的にあった書体を見つけるのは非常に困難であるといえる。
【発明の開示】
【発明が解決しようとする課題】
【０００５】
本発明は、書体の体裁が分からないような場合であっても、各書体の体裁が一目で把握できる、さらに各書体の特徴を相対的に比較又は認識できるようにすることにより、目的とする書体の選択を容易にできる書体の体裁サンプル帳を提供することを目的とする。
【課題を解決するための手段】
【０００６】
上記課題を解決するために、請求項１に記載の発明は、文字の体裁を表す書体のフォント名に対応した番号を表示する番号欄と、前記番号に対応する前記書体の体裁のサンプルを表示するサンプル欄とを設け、前記書体の体裁のサンプルを比較できるように配置することにより各書体の特徴を相対的に認識できるようにコンピュータに所定のデータを入力し記憶させたものをプリントして作成された書体の体裁サンプル帳において、縦方向に多段に表記した前記番号欄の横に前記サンプル欄を併記し、前記書体のフォント名とそれに付与された番号を一覧にして表示した早見帳を別に作成したことを特徴とする。
【０００７】
また、請求項２に記載の発明について、文字の体裁を表す書体のフォント名に対応した番号を表示する番号欄と、前記番号に対応する前記書体の体裁のサンプルを表示するサンプル欄とを設け、前記書体の体裁のサンプルを比較できるように配置することにより各書体の特徴を相対的に認識できるようにコンピュータに所定のデータを入力し記憶させたものをプリントして作成された書体の体裁サンプル帳において、縦方向に多段に表記した前記番号欄の横に前記サンプル欄を併記し、前記書体の体裁のサンプルを表示するサンプル欄に前記書体のフォント名を当該書体の体裁により表示したことを特徴とする。
【０００８】
また、請求項３に記載の発明について、請求項１又は請求項２のいずれか１項に記載の前記書体の体裁は、漢字、平仮名、片仮名、数字、英文字の大文字又は小文字の少なくとも１つ以上から構成されることを特徴とする。
【発明の効果】
【０００９】
以上のように、本発明によれば、書体のフォント名に対応した番号を表示する番号欄と書体の体裁のサンプルを表示するサンプル欄とを設け、書体の体裁のサンプルを比較できるように配置したため、各書体の体裁が一目で把握できる、さらに各書体の特徴を相対的に認識できる。このため、本考案によれば、各書体の体裁に基づき目的にあった書体を容易に見つけることができる。
【発明を実施するための最良の形態】
【００１０】
以下、本発明の実施の一形態について、図面を参酌しながら説明する。
【００１１】
（第１実施例）
図１は、本発明にかかる書体の体裁サンプル帳の第１実施例を示す説明図である。図２は、図１に示す書体の体裁サンプル帳において書体のフォント名とそれに付与された番号を一覧にして表示した早見帳の一例を示す説明図である。
【００１２】
図１に示すように、文字の体裁を表す書体のフォント名に対応した番号を表示する番号欄１０と、その番号に対応する書体の体裁のサンプルを表示するサンプル欄２０が設けられており、書体の体裁のサンプルを比較できるように配置されている。また、図２に示すように、書体のフォント名とそれに付与された番号を一覧にして表示した早見帳が別に作成されている。これらの書体の体裁サンプル帳及び早見帳は、コンピュータに所定のデータを入力し記憶させたものをプリントして作成される。
【００１３】
第１実施例で説明する書体の体裁サンプル帳は、１つのフォント名ごとに左側から右側にかけて平仮名、漢字、英文字の大文字、英文字の小文字、片仮名、数字の順に構成されている（サンプル欄２０参照）。なお、書体の体裁は、漢字、平仮名、片仮名、数字、英文字の大文字又は小文字の少なくとも１つ以上から構成されていることを特徴とする。
【００１４】
以上のように、書体の体裁のサンプルが比較できるように配置されているため、各書体の体裁が一目で把握でき、さらに各書体の特徴を相対的に認識でき、各書体の体裁に基づき目的にあった書体を容易に見つけることができる。
【００１５】
（第２実施例）
図３は、本発明にかかる書体の体裁サンプル帳の第２実施例を示す説明図である。第１実施例で説明した書体の体裁サンプル帳と同様に、文字の体裁を表す書体のフォント名に対応した番号を表示する番号欄３０と、その番号に対応する書体の体裁のサンプルを表示するサンプル欄４０が設けられており、書体の体裁のサンプルを比較できるように配置されている。また、第１実施例と同様に、図２に示す早見帳が別に作成されている。これらの書体の体裁サンプル帳及び早見帳は、コンピュータに所定のデータを入力し記憶させたものをプリントして作成される。
【００１６】
第２実施例で説明する書体の体裁サンプル帳は、１つのフォント名ごとに漢字のみから構成されている（サンプル欄４０参照）。以上のように、書体の体裁のサンプルが比較できるように配置されているため、各書体の体裁が一目で把握でき、さらに各書体の特徴を相対的に認識でき、各書体の体裁に基づき目的にあった書体を容易に見つけることができる。
【００１７】
（第３実施例）
図４は、本発明にかかる書体の体裁サンプル帳の第３実施例を示す説明図である。第１実施例で説明した書体の体裁サンプル帳と同様に、文字の体裁を表す書体のフォント名に対応した番号を表示する番号欄５０と、その番号に対応する書体の体裁のサンプルを表示するサンプル欄６０が設けられており、書体の体裁のサンプルを比較できるように配置されている。この書体の体裁サンプル帳は、コンピュータに所定のデータを入力し記憶させたものをプリントして作成される。一方、第１実施例と相違する点は、書体の体裁のサンプルを表示するサンプル欄６０に、書体のフォント名が当該書体の体裁により表示されていることである。この場合、図２に示す早見帳を省略することができる。
【００１８】
第３実施例で説明する書体の体裁サンプル帳は、１つのフォント名ごとに左側から右側にかけて平仮名、片仮名、漢字、英文字の大文字、英文字の小文字、片仮名、数字の順に構成されている。さらに、その下側に書体のフォント名が当該書体の体裁により表示されている（サンプル欄６０参照）。なお、書体の体裁は、漢字、平仮名、片仮名、数字、英文字の大文字又は小文字の少なくとも１つ以上から構成されていることを特徴とする。
【００１９】
以上のように、書体の体裁のサンプルが比較できるように配置されているため、各書体の体裁が一目で把握でき、さらに各書体の特徴を相対的に認識でき、各書体の体裁に基づき目的にあった書体を容易に見つけることができる。
【図面の簡単な説明】
【００２０】
【図１】本発明にかかる書体の体裁サンプル帳の第１実施例を示す説明図である。
【図２】図１に示す書体の体裁サンプル帳において書体のフォント名とそれに付与された番号を一覧にして表示した早見帳の一例を示す説明図である。
【図３】本発明にかかる書体の体裁サンプル帳の第２実施例を示す説明図である。
【図４】本発明にかかる書体の体裁サンプル帳の第３実施例を示す説明図である。
【符号の説明】
【００２１】
１０  番号欄
２０  サンプル欄
３０  番号欄
４０  サンプル欄
５０  番号欄
６０  サンプル欄
【図１】
2008070986.tif 000003
【図２】
2008070986.tif 000004
【図３】
2008070986.tif 000005
【図４】
2008070986.tif 000006